(57)【要約】【課題】連続紙に画像形成を行う画像形成装置において、停止処理が行われた後に新しいジョブの画像形成が行われる際に生じる連続紙の空白ページを減少させる。【解決手段】上流と下流に設けられた画像形成装置によって連続紙に順次プリントを行う装置において、停止が指示されると、図６（ａ）に示すように、連続紙１０１に対する上流機プリントバッファ１８０内のプリントデータを用いた画像形成が終了した時点で、連続紙１０１の搬送を停止する。このとき、下流機プリントバッファ２８０内のプリントデータは数ページ分プリントしていない状態で残っている。そして、次に新しいジョブについて画像処理が開始されるときは、図６（ａ）に示す状態から再開され、図６（ｂ）に示すように次のジョブのプリントデータによってが連続紙１０１に空きを作ることなく連続して画像形成される。【選択図】図６
2010262082.tif 000002
【特許請求の範囲】
【請求項１】
長手方向に連続する単一の記録媒体を搬送する搬送手段と、
第１の画像を表す第１の画像データと、前記第１の画像に対応する第２の画像を表す第２の画像データを取得する取得手段と、
前記搬送手段により搬送される記憶媒体に対し、前記取得手段により取得された第１の画像データに応じた第１の画像を形成する第１の画像形成手段と、
前記第１の画像形成手段よりも前記記録媒体の搬送方向下流側に設けられ、前記第１の画像形成手段によって画像形成された前記記録媒体に対し、前記取得手段により取得された第２の画像データに応じて、当該第１の画像に対応する第２の画像を形成する第２の画像形成手段と、
前記第１の画像データに応じた第１の画像を前記第１の画像形成手段が形成し終え、且つ、前記記録媒体に形成された第１の画像に対応する前記第２の画像の形成を前記第２の画像形成手段が終了していないときに、前記搬送手段による前記記録媒体の搬送と、前記第１の画像形成手段及び前記第２の画像形成手段による画像の形成とを停止する第１の動作と、前記第１の画像データに応じた第１の画像を前記第１の画像形成手段が形成し終え、且つ、前記記録媒体に形成された第１の画像に対応する前記第２の画像を前記第２の画像形成手段が形成し終えた後に、前記搬送手段による前記記録媒体の搬送と、前記第１の画像形成手段及び前記第２の画像形成手段による画像の形成とを停止する第２の動作とのうち、いずれか一方の動作を、前記搬送手段、前記第１の画像形成手段及び前記第２の画像形成手段に実行させる実行手段と
を備えることを特徴とする画像形成装置。
【請求項２】
前記実行手段が前記第１の動作を実行させる場合において、前記取得手段により取得された第２の画像データのうち、前記第１の画像形成手段が前記記録媒体に形成し終えた第１の画像に対応する前記第２の画像であって、前記第２の画像形成手段がまだ形成していない第２の画像を表す第２の画像データを記憶する記憶手段を備え、
前記実行手段は、
前記取得手段が新たな前記第１の画像データ及び前記第２の画像データを取得した場合に、
前記新たな第１の画像データに応じた第１の画像の形成を前記第１の画像形成手段によって開始させるとともに、前記記憶手段により記憶されている前記第２の画像データに応じた第２の画像の形成を前記第２の画像形成手段によって開始させ、
前記第２の画像形成手段が前記記憶手段により記憶されている前記第２の画像データに応じた第２の画像を形成し終えると、前記新たな第２の画像データに応じた第２の画像の形成を開始させる
ことを特徴とする請求項１記載の画像形成装置。
【請求項３】
画像が形成された前記記録媒体を収容する収容手段を備え、
前記実行手段は、
前記第２の動作を実行させる場合において、
前記第１の画像形成手段により前記第１の画像データに応じた第１の画像が形成され、且つ、前記第２の画像形成手段により第１の画像に対応する前記第２の画像が形成された前記記録媒体の記録部分が前記収容手段に収容されてから、前記搬送手段による前記記録媒体の搬送と、前記第１の画像形成手段及び前記第２の画像形成手段による画像の形成とを停止させる
ことを特徴とする請求項１又は２に記載の画像形成装置。
【請求項４】
前記実行手段は、
前記第１の動作を実行させる場合において、
前記第１の画像形成手段により前記第１の画像データに応じた第１の画像が形成され、且つ、前記第２の画像形成手段により第１の画像に対応する前記第２の画像が形成された前記記録媒体の記録部分を、前記第２の画像形成手段による第２の画像の形成位置から決められた距離だけ前記搬送手段により搬送させてから、
前記搬送手段による前記記録媒体の搬送を停止させる
ことを特徴とする請求項１又は２に記載の画像形成装置。
【請求項５】
前記第２の画像形成手段による第２の画像の形成位置から前記搬送手段が前記記録媒体を搬送する距離を利用者が指定する距離指定手段を備える
ことを特徴とする請求項４記載の画像形成装置。
【請求項６】
前記実行手段は、
前記取得手段によって取得された前記第１の画像データ及び前記第２の画像データに応じた画像が形成される前記記録媒体の量が不足している場合、又は、前記取得手段が取得した前記第１の画像データ及び前記第２の画像データに応じた画像を前記第１の画像形成手段及び前記第２の画像形成手段が形成するときに用いる材料が不足している場合には、前記搬送手段、前記第１の画像形成手段及び前記第２の画像形成手段に前記第２の動作を実行させる
ことを特徴とする請求項１〜５のいずれか１に記載の画像形成装置。
【請求項７】
前記実行手段は、
前記第１の動作を実行させることにより前記搬送手段による前記記録媒体の搬送と前記第１の画像形成手段及び前記第２の画像形成手段による画像の形成とを停止してから、決められた期間が経過するまでに、前記取得手段が新たな前記第１の画像データ及び前記第２の画像データを取得しなかった場合には、
前記第２の動作を実行させることにより、前記第１の画像データに応じた第１の画像を前記第１の画像形成手段が形成し終え、且つ、前記記録媒体に形成された第１の画像に対応する前記第２の画像を前記第２の画像形成手段が形成し終えた後に、前記搬送手段による前記記録媒体の搬送と、前記第１の画像形成手段及び前記第２の画像形成手段による画像の形成とを停止する
ことを特徴とする請求項１〜６のいずれか１に記載の画像形成装置。
【請求項８】
前記実行手段が実行させる動作として前記第１の動作と前記第２の動作のいずれか一方を利用者が指定する動作指定手段を備える
ことを特徴とする請求項１〜７のいずれか１に記載の画像形成装置。
【請求項９】
前記第１の画像形成手段は、前記記録媒体が有する一方の記録面に第１の画像を形成し、
前記第２の画像形成手段は、前記記録媒体が有する他方の記録面に第２の画像を形成する
ことを特徴とする請求項１〜８のいずれか１に記載の画像形成装置。
【請求項１０】
前記実行手段は、前記第１の動作を実行させた場合に、前記第２の画像形成手段によって形成されていない第２の画像がある旨を表示手段に表示させる
ことを特徴とする請求項１〜９のいずれか１に記載の画像形成装置。
【請求項１１】
長手方向に連続する単一の記録媒体を搬送する搬送手段と、
画像を表す画像データを取得する取得手段と、
前記搬送手段により搬送される記憶媒体に対し、前記取得手段により取得された画像データに応じた画像を形成する画像形成手段と、
画像が形成された前記記録媒体を収容する収容手段と、
前記画像データに応じた画像を前記画像形成手段が形成し終えてから、当該画像データに応じた画像が形成された前記記録媒体の記録部分が前記収容手段に収容されるまでの間に、前記搬送手段による前記記録媒体の搬送を停止する第１の動作と、当該画像データに応じた画像が形成された前記記録媒体の記録部分が前記収容手段に収容された後に、前記搬送手段による前記記録媒体を停止させる第２の動作とのうち、いずれか一方の動作を、前記搬送手段及び前記画像形成手段に実行させる実行手段と
を備えることを特徴とする画像形成装置。
【請求項１２】
前記請求項１１記載の実行手段は、
前記取得手段によって取得された前記画像データに応じた画像が形成される前記記録媒体の量が不足している場合、又は、前記取得手段が取得した前記画像データに応じた画像を前記画像形成手段が形成するときに用いる材料が不足している場合には、前記搬送手段、前記画像形成手段に前記第２の動作を実行させる
ことを特徴とする請求項１１に記載の画像形成装置。
【請求項１３】
前記実行手段は、
前記第１の動作を実行させることにより前記搬送手段による前記記録媒体の搬送と前記画像形成手段による画像の形成とを停止してから、決められた期間が経過するまでに、前記取得手段が新たな前記画像データを取得しなかった場合には、
前記第２の動作を実行させることにより、前記の画像データに応じた画像を前画像形成手段が形成し終えた後に、前記搬送手段による前記記録媒体の搬送と、前記画像形成手段による画像の形成とを停止する
ことを特徴とする請求項１１〜１２のいずれか１に記載の画像形成装置。
【請求項１４】
前記実行手段が実行させる動作として前記第１の動作と前記第２の動作のいずれか一方を利用者が指定する動作指定手段を備える
ことを特徴とする請求項１１〜１３のいずれか１に記載の画像形成装置。
【発明の詳細な説明】
【技術分野】
【０００１】
本発明は、画像形成装置に関する。
【背景技術】
【０００２】
搬送される連続紙に対して画像を形成する画像形成装置が知られている。この種の装置である連続紙画像形成システム１００の全体構成の一例を図１に示す。この図に示す装置においては、画像形成装置１１０が連続紙１０１の表面に画像をプリントした後、下流側に設けられた画像形成装置２１０が連続紙１０１の裏面にプリントを行う重連構成になっている。連続紙１０１は、ページ毎にミシン目が形成され、各ページが切り離し可能な長尺状の用紙である。画像形成装置１１０は、収納部１５４に収納されている連続紙１０１をローラ等によって構成される搬送路を有した搬送部１５０によって搬送し、現像部１３０で形成された画像を連続紙１０１に転写し、定着部１４０で定着させる構成である。画像形成装置２１０は、画像形成装置１１０と同じ構成を持ち、画像形成装置１１０で画像形成された連続紙１０１の裏面に画像をプリントする。中間バッファ装置３１０は、画像形成装置１１０と２１０の間に配置され、画像形成装置１１０から排出される連続紙１０１を一時的に貯え、画像形成装置１１０と２１０が連続紙１０１を搬送する速度のずれを吸収する装置である。反転機構装置３２０は、画像形成装置１１０と２１０の間に配置され、連続紙１０１反転させる装置である。
【０００３】
次に、連続紙画像形成システム１００の画像形成処理の終了動作を説明する。画像形成装置１１０が、最後のページの画像を連続紙１０１に形成すると、連続紙１０１はそのまま搬送され、最後のページの裏面に該当する位置が画像形成装置２１０の現像部２３０に達する。そして、当該裏面に画像が形成されると、連続紙１０１はさらに搬送されて、格納部２５６に格納される。この格納が完了すると、搬送部１５０及び搬送部２５０の搬送処理が終了する。
【０００４】
そして、連続紙画像形成システム１００が次の画像処理を再び行う場合には、上記の状態から再開され、画像形成装置１１０、２１０が連続紙１０１に対して順次プリントを行う。この場合、画像処理の再開前に、画像形成装置２１０の格納部２５６から画像形成装置１１０の現像部１３０に至る経路にあった連続紙１０１には何もプリントされないまま格納部２５６に格納される。
一方、重連構成としない場合、例えば、画像形成装置１１０が単体で動作する場合であっても、プリントが完了したページは排出されるか、あるいは画像形成装置１１０内の格納部等に格納されるので、現像部２３０より下流側の搬送路に位置する連続紙には何もプリントされない部分が生じる。この状態から次のプリントが再開されるので、何もプリントされない部分は無駄になってしまう。
【０００５】
特許文献１には、搬送される連続紙に対するプリントを停止する場合に、転写すべき画像のデータ作成状況に応じて停止タイミングを制御することで、中途半端なプリントが行われないようにする技術が記載されている。しかしながら、プリントの停止、再開において、連続紙に何もプリントされない部分が生じる状況は上述した画像形成装置と同様である。
【先行技術文献】
【特許文献】
【０００６】
【特許文献１】特開２００８−１１４５１０号公報
【発明の概要】
【発明が解決しようとする課題】
【０００７】
本発明の目的は、連続紙へのプリントに対して、停止処理が行われてから次のプリントが再開される場合に、連続紙に何もプリントされない部分が生じることを低減することにある。
【課題を解決するための手段】
【０００８】
請求項１記載に係る画像形成装置は、長手方向に連続する単一の記録媒体を搬送する搬送手段と、第１の画像を表す第１の画像データと、前記第１の画像に対応する第２の画像を表す第２の画像データを取得する取得手段と、前記搬送手段により搬送される記憶媒体に対し、前記取得手段により取得された第１の画像データに応じた第１の画像を形成する第１の画像形成手段と、前記第１の画像形成手段よりも前記記録媒体の搬送方向下流側に設けられ、前記第１の画像形成手段によって画像形成された前記記録媒体に対し、前記取得手段により取得された第２の画像データに応じて、当該第１の画像に対応する第２の画像を形成する第２の画像形成手段と、前記第１の画像データに応じた第１の画像を前記第１の画像形成手段が形成し終え、且つ、前記記録媒体に形成された第１の画像に対応する前記第２の画像の形成を前記第２の画像形成手段が終了していないときに、前記搬送手段による前記記録媒体の搬送と、前記第１の画像形成手段及び前記第２の画像形成手段による画像の形成とを停止する第１の動作と、前記第１の画像データに応じた第１の画像を前記第１の画像形成手段が形成し終え、且つ、前記記録媒体に形成された第１の画像に対応する前記第２の画像を前記第２の画像形成手段が形成し終えた後に、前記搬送手段による前記記録媒体の搬送と、前記第１の画像形成手段及び前記第２の画像形成手段による画像の形成とを停止する第２の動作とのうち、いずれか一方の動作を、前記搬送手段、前記第１の画像形成手段及び前記第２の画像形成手段に実行させる実行手段とを備えることを特徴とする。
【０００９】
本発明の請求項２に係る画像形成装置は、請求項１の構成において、前記実行手段が前記第１の動作を実行させる場合において、前記取得手段により取得された第２の画像データのうち、前記第１の画像形成手段が前記記録媒体に形成し終えた第１の画像に対応する前記第２の画像であって、前記第２の画像形成手段がまだ形成していない第２の画像を表す第２の画像データを記憶する記憶手段を備え、前記実行手段は、前記取得手段が新たな前記第１の画像データ及び前記第２の画像データを取得した場合に、前記新たな第１の画像データに応じた第１の画像の形成を前記第１の画像形成手段によって開始させるとともに、前記記憶手段により記憶されている前記第２の画像データに応じた第２の画像の形成を前記第２の画像形成手段によって開始させ、前記第２の画像形成手段が前記記憶手段により記憶されている前記第２の画像データに応じた第２の画像を形成し終えると、前記新たな第２の画像データに応じた第２の画像の形成を開始させることを特徴とする。
【００１０】
本発明の請求項３に係る画像形成装置は、請求項１又は２の構成において、画像が形成された前記記録媒体を収容する収容手段を備え、前記実行手段は、前記第２の動作を実行させる場合において、前記第１の画像形成手段により前記第１の画像データに応じた第１の画像が形成され、且つ、前記第２の画像形成手段により第１の画像に対応する前記第２の画像が形成された前記記録媒体の記録部分が前記収容手段に収容されてから、前記搬送手段による前記記録媒体の搬送と、前記第１の画像形成手段及び前記第２の画像形成手段による画像の形成とを停止させることを特徴とする。
【００１１】
本発明の請求項４に係る画像形成装置は、請求項１又は２の構成において、前記実行手段は、前記第１の動作を実行させる場合において、前記第１の画像形成手段により前記第１の画像データに応じた第１の画像が形成され、且つ、前記第２の画像形成手段により第１の画像に対応する前記第２の画像が形成された前記記録媒体の記録部分を、前記第２の画像形成手段による第２の画像の形成位置から決められた距離だけ前記搬送手段により搬送させてから、前記搬送手段による前記記録媒体の搬送を停止させることを特徴とする。
【００１２】
本発明の請求項５に係る画像形成装置は、請求項４の構成において、前記第２の画像形成手段による第２の画像の形成位置から前記搬送手段が前記記録媒体を搬送する距離を利用者が指定する距離指定手段を備えることを特徴とする。
【００１３】
本発明の請求項６に係る画像形成装置は、請求項１〜５のいずれか１の構成において、前記実行手段は、前記取得手段によって取得された前記第１の画像データ及び前記第２の画像データに応じた画像が形成される前記記録媒体の量が不足している場合、又は、前記取得手段が取得した前記第１の画像データ及び前記第２の画像データに応じた画像を前記第１の画像形成手段及び前記第２の画像形成手段が形成するときに用いる材料が不足している場合には、前記搬送手段、前記第１の画像形成手段及び前記第２の画像形成手段に前記第２の動作を実行させることを特徴とする。
【００１４】
本発明の請求項７に係る画像形成装置は、請求項１〜６のいずれか１の構成において、前記実行手段は、前記第１の動作を実行させることにより前記搬送手段による前記記録媒体の搬送と前記第１の画像形成手段及び前記第２の画像形成手段による画像の形成とを停止してから、決められた期間が経過するまでに、前記取得手段が新たな前記第１の画像データ及び前記第２の画像データを取得しなかった場合には、前記第２の動作を実行させることにより、前記第１の画像データに応じた第１の画像を前記第１の画像形成手段が形成し終え、且つ、前記記録媒体に形成された第１の画像に対応する前記第２の画像を前記第２の画像形成手段が形成し終えた後に、前記搬送手段による前記記録媒体の搬送と、前記第１の画像形成手段及び前記第２の画像形成手段による画像の形成とを停止することを特徴とする。
【００１５】
本発明の請求項８に係る画像形成装置は、請求項１〜７のいずれか１の構成において、前記実行手段が実行させる動作として前記第１の動作と前記第２の動作のいずれか一方を利用者が指定する動作指定手段を備えることを特徴とする。
【００１６】
本発明の請求項９に係る画像形成装置は、請求項１〜８のいずれか１の構成において、前記第１の画像形成手段は、前記記録媒体が有する一方の記録面に第１の画像を形成し、
前記第２の画像形成手段は、前記記録媒体が有する他方の記録面に第２の画像を形成することを特徴とする。
【００１７】
本発明の請求項１０に係る画像形成装置は、請求項１〜９のいずれか１の構成において、前記実行手段は、前記第１の動作を実行させた場合に、前記第２の画像形成手段によって形成されていない第２の画像がある旨を表示手段に表示させることを特徴とする。
【００１８】
本発明の請求項１１に係る画像形成装置は、長手方向に連続する単一の記録媒体を搬送する搬送手段と、画像を表す画像データを取得する取得手段と、前記搬送手段により搬送される記憶媒体に対し、前記取得手段により取得された画像データに応じた画像を形成する画像形成手段と、画像が形成された前記記録媒体を収容する収容手段と、前記画像データに応じた画像を前記画像形成手段が形成し終えてから、当該画像データに応じた画像が形成された前記記録媒体の記録部分が前記収容手段に収容されるまでの間に、前記搬送手段による前記記録媒体の搬送を停止する第１の動作と、当該画像データに応じた画像が形成された前記記録媒体の記録部分が前記収容手段に収容された後に、前記搬送手段による前記記録媒体を停止させる第２の動作とのうち、いずれか一方の動作を、前記搬送手段及び前記画像形成手段に実行させる実行手段とを備えることを特徴とする。
【００１９】
本発明の請求項１２に係る画像形成装置は、請求項１１記載の構成において、前記実行手段は、前記取得手段によって取得された前記画像データに応じた画像が形成される前記記録媒体の量が不足している場合、又は、前記取得手段が取得した前記画像データに応じた画像を前記画像形成手段が形成するときに用いる材料が不足している場合には、前記搬送手段、前記画像形成手段に前記第２の動作を実行させることを特徴とする。
【００２０】
本発明の請求項１３に係る画像形成装置は、請求項１１〜１２のいずれか１の構成において、前記実行手段は、前記第１の動作を実行させることにより前記搬送手段による前記記録媒体の搬送と前記画像形成手段による画像の形成とを停止してから、決められた期間が経過するまでに、前記取得手段が新たな前記画像データを取得しなかった場合には、前記第２の動作を実行させることにより、前記の画像データに応じた画像を前画像形成手段が形成し終えた後に、前記搬送手段による前記記録媒体の搬送と、前記画像形成手段による画像の形成とを停止することを特徴とする。
【００２１】
本発明の請求項１４に係る画像形成装置は、請求項１１〜１３のいずれか１の構成において、前記実行手段が実行させる動作として前記第１の動作と前記第２の動作のいずれか一方を利用者が指定する動作指定手段を備えることを特徴とする。
【発明の効果】
【００２２】
請求項１記載の発明によれば、連続紙への画像形成に対し、停止処理が行われてから次の画像形成処理が再開される場合に、連続紙に何も画像形成されない部分が生じることを低減することができる。
【００２３】
請求項２記載の発明によれば、新たな画像データについての画像形成処理を開始するにあたり、直前の画像データでまだ記録媒体に画像形成していなかった画像データを用いて、第２の画像形成手段により画像形成することができる。
【００２４】
請求項３記載の発明によれば、第１、第２の画像形成手段による記録媒体への画像形成を完了させ、画像形成が完了した記録媒体を収容手段に収容することができる。
【００２５】
請求項４記載の発明によれば、第２の画像形成手段による画像形成が終了しない状態において、第１の画像形成手段によって既に記録が行われた記録媒体を予め決められた距離進めた状態で停止させることができる。
【００２６】
請求項５記載の発明によれば、請求項４記載の発明における距離を設定することができる。
【００２７】
請求項６記載の発明によれば、次の画像形成に際して材料が不足する場合には、次に画像形成に先立ち、直前の画像形成処理による記録媒体への画像形成を完了させてから停止することができる。
【００２８】
請求項７記載の発明によれば、第１の動作による停止が決められた期間以上の長さに渡ったら、直前の画像形成処理において画像形成されなかったデータの画像形成が記録媒体に対して行われる。
【００２９】
請求項８記載の発明によれば、第１の動作と第２の動作を適宜選ぶことができる。
【００３０】
請求項９記載の発明によれば、記録媒体の２つの記録面、例えば、表裏に画像を形成することができる。
【００３１】
請求項１０記載の発明によれば、操作者は、第２の画像形成手段によって形成されていない第２の画像があることを知ることができる。
【００３２】
請求項１１記載の発明によれば、連続紙へのプリントに対し、停止処理が行われてから次の画像形成処理が再開される場合に、連続紙に何も画像形成されない部分が生じることを低減することができる。
【００３３】
請求項１２記載の発明によれば、次の画像形成に際して材料が不足する場合には、次の画像形成に先立ち、直前の画像形成処理による記録媒体への画像形成を完了させてから停止することができる。
【００３４】
請求項１３記載の発明によれば、第１の動作による停止が決められた期間以上の長さに渡ったら、直前の画像形成処理において画像形成されなかったデータの画像形成が記録媒体に対して行われる。
【００３５】
請求項１４記載の発明によれば、第１の動作と第２の動作を適宜選ぶことができる。
【図面の簡単な説明】
【００３６】
【図１】従来の連続紙画像形成システム１００の全体構成を示す概略図である。
【図２】本発明の一実施形態に係る連続紙画像形成システム１００の全体構成図を示す概略図である。
【図３】本実施形態の全体の外観を示す斜視図である。
【図４】本実施形態に係る連続紙画像形成システム１００の各部の構成を示すブロック図である。
【図５】本実施形態における装置全体のモード設定を行う場合の動作を示すフローチャートである。
【図６】本実施形態の即停止モードにおいて連続紙１０１の表裏に行われるプリントの進行を模式的に示した図である。
【図７】本実施形態のスタック停止モードにおいて連続紙１０１の表裏に行われるプリントの進行を模式的に示した図である。
【図８】本実施形態において、停止経過時間を判断する処理を行う場合の動作を示すフローチャートである。
【図９】本実施形態において、ジョブ毎にモード設定を行う場合の動作を示すフローチャートである。
【図１０】ジョブ毎の停止方法を設定する際の操作部４１１の表示例を示す正面図である。
【図１１】本実施形態の変形例における「イジェクト」の処理を示すフローチャートである。
【図１２】本実施形態の変形例における「スタックまで出力」の処理を示すフローチャートである。
【図１３】本実施形態の変形例におけるプリント停止後の用紙搬送処理の一例を示すフローチャートである。
【図１４】プリンタの状態に応じて動作モードを自動的に変更する動作例を示すフローチャートである。
【図１５】図１４に示すステップＳ４０５の処理の詳細を示したフローチャートである。
【図１６】図１５に示す例外処理におけるチェック項目のリストを示すテーブルである。
【図１７】ジョブのステータスを表示する表示パネルの表示例を示す正面図である。
【図１８】図１７に示すステータス表示を行う処理を示すフローチャートである。
【発明を実施するための形態】
【００３７】
[実施形態の構成]
図２に、本実施形態に係る連続紙画像形成システム１００の全体構成図を示す。ここで、図１に示した連続画像形成システム１１０の各部と対応する部分には、同一の符合を付けてその説明を省略する。
【００３８】
図２に示す画像形成装置１１０は、操作用パネル１６１と制御部１６０を有している。操作用パネル１６１は、液晶表示画面と、その前面に設けられるタッチパネルを有しており、液晶表示画面に表示されたボタン等の位置をタッチすることにより各種の入力が行えるようになっている。制御部１６０は装置各部を制御するものであり、詳細については後述する。画像形成装置２１０についても操作用パネル２６１、制御部２６０が設けられており、これらは上述した操作用パネル１６１、制御部１６０と同様の構成となっている。画像形成装置１１０，２１０は画像形成制御装置４１０によって連携制御されるようになっており、画像形成制御装置４１０は外部装置５１０から供給される画像データを後述する手順に従って画像形成装置１１０，２１０に出力する。操作部４１１は、液晶表示画面と、その前面に設けられるタッチパネルを有しており、液晶表示画面に表示されたボタン等の位置をタッチすることにより、画像形成制御装置４１０に対して各種の入力が行えるようになっている。
【００３９】
また、図２に示す現像部１３０，２３０は、図１に示すものと同様であり、その内部には感光ドラム１３２，２３２と、その表面に対して静電潜像を形成するための露光を行うＬＥＤ露光装置１３６，２３６と、静電潜像に対してトナーを付着させるための現像器１３８，２３８を有している。以上が本実施形態の概略である。ここで、本実施形態における連続紙１０１の搬送状況を立体的に示すために、図３に本実施形態の全体の外観を示す。
【００４０】
次に、図４は上述した各部をより詳細に示すブロック図である。図示のように、制御部１６０は、ＣＰＵ（Ｃｅｎｔｒａｌ  Ｐｒｏｃｅｓｓｉｎｇ  Ｕｎｉｔ）１６２と、このＣＰＵ１６２で用いられるプログラム等が記憶されたＲＯＭ（Ｒｅａｄ  Ｏｎｌｙ  Ｍｅｍｏｒｙ）１６３と、ＣＰＵ１６２のワークエリアとして用いられるＲＡＭ（Ｒａｎｄｏｍ  Ａｃｃｅｓｓ  Ｍｅｍｏｒｙ）１６４とを有しており、これらは一般的なコンピュータを構成している。ＣＰＵ１６２は、不揮発性のＲＡＭであるＮＶＲＡＭ１６５とＨＤＤ（ハードディスク装置）１６６に対し、適宜データの書き込み、読み出しを行う。
【００４１】
ＣＰＵ１６２は、操作用パネルインターフェース１６８を介して操作用パネル１６１の液晶表示画面に各種表示を行い、また、操作用パネル１６１から入力されるデータを受信する。
図４に示す機構部１２０は、図２に示す搬送部１５０及び現像部１３０、定着部１４０、収納部１５４等を有するブロックであり、連続紙１０１に画像形成を行う部分である。ＣＰＵ１６２は、機構部インターフェース１６７を介して機構部１２０を制御し、用紙の搬送、露光、転写などを連携して制御する。画像形成制御装置連インターフェース１６９は、画像形成制御装置４１０とＣＰＵ１６２との間でデータの授受を行う。
また、画像形成装置２１０内の制御部２６０、機構部２２０は、各々上述した制御部１６０，機構部１２０と同様の構成となっている。
【００４２】
画像形成制御装置４１０は、ＣＰＵ４１２と、このＣＰＵ４１２で用いられるプログラム等が記憶されたＲＯＭ４１３と、ＣＰＵ４１２のワークエリアとして用いられるＲＡＭ４１４とを有しており、これらは一般的なコンピュータを構成している。ＣＰＵ４１２は、不揮発性のＲＡＭであるＮＶＲＡＭ４１５とＨＤＤ（ハードディスク装置）４１６に対し、適宜データの書き込み、読み出しを行うとともに、制御部インターフェース４１７を介して画像形成装置１１０，２１０を制御し、また、外部装置インターフェース４１９を介して外部装置５１０から画像データを受信する。
【００４３】
次に、この実施形態の動作について説明する。本実施形態においては種々の動作モードがあり、以下は各動作モード毎に動作を説明する。本実施形態においては、ジョブ毎にモードを設定することも、装置全体としてモードを設定することもできるが、まず、装置全体のモードを設定する場合について説明する。ここでジョブとは、連続紙１０１における１ページ分の領域に対応する画像を示す画像データの集合の単位をいう。例えば、一の文書について、連続紙１０１に画像を形成するために必要な画像データの集合である。
【００４４】
（装置全体でモード設定を行う場合の動作）
図５は、装置全体のモード設定を行う場合の動作を説明するフローチャートである。図に示すステップＳ１００においては、停止モードの設定確認が行われる。停止モードにはプリント停止が指示された場合に、即座に用紙搬送を停止する「即停止モード」とプリントが行われたページを格納部２５６まで搬送してスタックして停止する「スタックまで出力して停止モード（以後スタック停止モードという）」とがある。これらのモード設定は、予め操作者が操作部４１１を操作することによって行われる。なお、操作用パネル１６１あるいは操作用パネル２６１を操作することによってモード設定を行っても良い。モード設定の情報は、画像形成装置１１０，２２０および画像形成制御装置４１０の間において転送可能であり、いずれからモード設定を行ってもその情報は他方に送信され、全体として各部が設定モードに応じた動きを行う。
【００４５】
ここで、「即停止モード」について図６を用いて説明する。図６は連続紙１０１に表裏に行われるプリントを模式的に示したものである。図６（ａ）に示すように連続紙１０１には、上流機である画像形成装置１１０によって表面側に順次各ページのプリントが行われ、反転機構装置３２０で表裏反転された後に、下流機である画像形成装置２１０によって各ページの裏面へのプリントが行われる。
【００４６】
図６（ａ）に示す状態においては、Ｎページ分のプリントデータを有する１つのジョブを実行し終えた直後に連続紙１０１の搬送が停止している。図における上流機プリントバッファ１８０は、上流機側でプリントすべきデータを格納するバッファで、ＮＶＲＡＭ１６５，ＨＤＤ１６６またはＲＡＭ１６４内に設定される。図示の状態では、上流機プリントバッファ１８０は当該ジョブのデータを全て出力し終えて、空の状態となっている。すなわち、「即停止モード」は上流機プリントバッファ１８０が現在実行中のジョブの最終ページ分のプリントデータを出力し、現像部１３０が当該データを連続紙１０１に転写し終えた時点で連続紙１０１の搬送を停止する。図に示す上流印字ポイントとは、現像部１３０において１ページ分の転写が終了する搬送路上の位置である。
【００４７】
一方、下流機プリントバッファ２８０は、下流機である画像形成装置２１０側でプリントすべきデータを格納するバッファで、ＮＶＲＡＭ２６５，ＨＤＤ２６６またはＲＡＭ２６４内に設定される。図示の状態では、下流機プリントバッファ２８０には、（Ｎ−４）〜Ｎページの裏面のプリントデータが格納されている。この場合、上流機側で最終ページをプリントし終えた時点では、下流機側では（Ｎ−４）〜Ｎページの裏面にはプリントが行われておらず、連続紙１０１におけるこれらのページは図示のように下流印字ポイント（現像部２３０において１ページ分の転写が終了する搬送路上の位置）から上流印字ポイントまでの搬送路中に残留し、表面だけのプリントが終えている状態となっている。この場合、上流印字ポイントから定着部１４０の間にあるページは転写だけが行われた状態であり、定着部１４０より下流側のページは定着が完了した状態になっている。
【００４８】
上述の状態から次のジョブが実行されると、図６（ｂ）に示すように、上流機では前のジョブのＮページに連続して、連続紙１０１の表面に次ぎのジョブの１ページをプリントし、以後順次２，３・・・ページをプリントする。このとき、下流機では、連続紙１０１の搬送に連動して、下流プリントバッファ２８０内に残っている（Ｎ−４）〜Ｎページの裏面のプリントデータを順次用いて、連続紙１０１の表面にプリントされた前のジョブの（Ｎ−４）〜Ｎページに対応する位置に、裏面プリントを行ってゆく。以上の処理により、プリント処理の停止と再開の間で、連続紙１０１に対しプリントが行われないページは発生しない。
【００４９】
上記処理において、ジョブの各ページのデータは、画像形成制御装置４１０において表裏を分離してから、それぞれ表ページ用のデータ（第１の画像データ）、裏ページ用のデータ（第２の画像データ）として画像形成装置１１０，２１０に転送してもよく、また、表裏全てのデータを画像形成装置１１０，２１０に転送し、画像形成装置１１０内において表ページ用のデータを抽出し（抽出されたデータが第１の画像データ）、また、画像形成装置２１０内おいて裏ページ用のデータを抽出してもよい（抽出されたデータが第２の画像データ）。
【００５０】
次に、「スタック停止モード」について図７を参照して説明する。このモードにおいては、プリント停止が指示されると図７（ａ）に示すように、下流機プリントバッファ２８０内のプリントデータが空になるまで裏面プリントを実行する。すなわち、表裏一対のプリントを完了させる。そして、さらに連続紙１０１を搬送し、格納部２５６に最終ページを格納する。ここで、図示のスタックポイントとは、格納部２５６に格納されたページの後端の位置である。
次のジョブの実行が指示されると、上述の状態から連続紙１０１が搬送され、図７（ｂ）に示すように次のジョブの各ページのプリントが順次行われる。この場合、図７（ａ）に示すスタックポイントから上流印字ポイントまでの間に位置していた連続紙１０１の部分は、何もプリントされない状態でスタックされる。
【００５１】
説明を図５に戻し、ステップＳ１００で「即停止モード」が確認されると、ＣＰＵ４１２の処理は、ステップＳ１０１に進み、自身の制御モードを「即停止モード」に設定するとともに、画像形成装置１１０，２１０についても「即停止モード」を設定する。
そして、ジョブのスタートを待機し（ステップＳ１０２）、それがスタートするとプリント動作を実行する（ステップＳ１０４）。次に、現在実行中のジョブの終了が検出されたかどうかを監視し（ステップＳ１０５）、終了が検出されなければプリント動作の実行を継続する。
【００５２】
一方、ステップＳ１０５においてジョブの終了が検出されると、次のジョブのプリントが可能な状態になったか否かが判定される（ステップＳ１０６）。すなわち、次のジョブが画像形成制御装置４１０から画像形成装置１１０，２１０に転送され、プリントの準備ができたか否かが判定される。この判定は、画像形成装置１１０，２１０からのプリント可能を示すステータス信号を画像形成装置４１０のＣＰＵ４１２が受け取ることにより行われる。ステップＳ１０６の判定が「Ｙｅｓ」であれば、ステップＳ１０２に戻り、再びステップＳ１０２〜Ｓ１０５の処理が行われる。次のジョブが連続して行われる場合は、前のジョブのプリントデータから新しいジョブのプリントデータに連続的に移行するので、上流側の画像形成装置１１０が新しいジョブのプリントデータを連続紙１０１にプリントし始めると、それが下流側の画像形成装置２１０に搬送され、対応する裏面のページに画像形成装置２１０によるプリントが順次行われていき、連続紙１０１には空白のページは生じない。
ステップＳ１０６の判定が「Ｎｏ」の場合は、上流側である画像形成装置１１０の上流機プリントバッファ１８０（図６参照）が空になった時点で連続紙１０１の搬送が直ちに停止され（ステップＳ１０７）、図６(ａ)に示す状態になる。ＣＰＵ４１２の処理は再びステップＳ１００に戻り、新たなジョブがスタートした場合には、図６（ａ）に示す状態からプリントがスタートし、連続紙１０１には空白ページは生じない。
【００５３】
一方、図５に示すステップＳ１００で「スタック停止モード」が確認されると、ＣＰＵ４１２の処理は、ステップＳ１０８に進み自身の制御モードを「スタック停止モード」に設定するとともに、画像形成装置１１０，２１０についても「スタック停止モード」を設定する。そして、ステップＳ１０９〜Ｓ１１２の処理に進むが、これらの処理はステップＳ１０１〜１０６と同様である。ステップＳ１１２において次のジョブのプリントが不可能と判定された場合は、下流機プリントバッファ２８０内のプリントデータのプリントを全て終えるまで連続紙１０１を搬送して、今のジョブについての表裏のプリントを全てのページについて完了する。さらに、図７（ａ）に示すように最終ページの後端がスタックポイントに位置するまで連続紙１０１を搬送して停止する。そして、ＣＰＵ４１２の処理は再びステップＳ１００に戻り、新たなジョブがスタートした場合には、図７（ａ）に示す状態からプリントがスタートし、図７（ａ）に示すスタックポイントから上流印字ポイントまでの間に位置していた連続紙１０１の部分は、何もプリントされない状態でスタックされる。
【００５４】
以上が装置全体としてモード設定を行う場合の動作であるが、図８に示すようにステップＳ１０７の処理を、停止経過時間を判断するステップＳ８０５を加えたステップＳ１０７’に代えてもよい。ステップＳ８０５では、ステップＳ１０７において連続紙１０１の搬送を停止してからの経過時間が予め設定した時間を超えたか否かを判定する。そして、超えていなければ次のジョブがスタートしたかどうかを判定し（ステップＳ８０６）、スタートしていなければ再びステップＳ８０５に戻って経過時間を判定する。以後、次のジョブがスタートするまでステップＳ８０５とＳ８０６を循環し、経過時間の監視を続ける。次のジョブがスタートすれば、ステップＳ１００（図５参照）に進み、一方、次のジョブがスタートする前に経過時間が設定時間を超えたらステップＳ８０７に進んで、連続紙の最終ページの後端をスタックポイントまで搬送して、ステップＳ１００に戻る。このステップＳ８０７の処理は図５に示すステップＳ１１３の処理と同様である。
【００５５】
このような処理を行うのは、以下の理由による。図６（ａ）に示す状態で長時間停止していると、画像形成装置１１０、２１０内には未だ定着が完了していないページがあり、このページに転写した画像が振動や熱などの外的影響で変化してしまうことが予想されることもある。また、裏面のプリントが完了していない状態で長尺の連続紙１０１を長く放置することが好ましくない場合もある。そのために、連続紙１０１を搬送して全ての画像を定着させ、プリント内容を確定させる。
【００５６】
（ジョブ毎にモード設定を行う場合の動作）
次に、ジョブ毎にモード設定を行う場合の動作について図９を参照して説明する。まず、ステップＳ２００において動作指示がなされたか否かが判定される。動作指示がなされた場合の処理については後述する。動作指示が為されないときはジョブスタートとなったか否かが判定され（ステップＳ２０１）、「Ｙｅｓ」であればステップＳ２０２，Ｓ２０３に進む。これらのステップは前述したステップＳ１０４，Ｓ１０５（図５参照）と同様であるので、その説明を省略する。そして、ステップＳ２０３においてジョブ終了が検出されると、ステップＳ２０４において当該ジョブに設定された停止方法が確認される。この停止方法は、図５に示すステップＳ１０７の「即停止処理」とステップＳ１１３の「スタックまで搬送して停止」のいずれかであるが、これらは当該ジョブの実行に先立って設定される。
【００５７】
ここで、図１０にジョブ毎の停止方法を設定する際の操作部４１１の表示例を示す。図１０に示す窓Ｗ１にはジョブ名が表示されている。このジョブ名は外部装置５１０から転送されるジョブのヘッダーに書き込まれているものがそのまま表示されるが、操作部４１１のキーボード等を用いて入力したものをジョブ名としてもよい。また、図１０に示す窓Ｗ２には停止方法を設定するボタンＢ１とＢ２が表示されている。ボタンＢ１は「即停止」、ボタンＢ２は「スタックまで搬送して停止」（ジョブ完了後停止）を設定するボタンであり、ボタンが押された方の停止方法が当該ジョブに設定される。この場合、ボタンＢ１，Ｂ２は押された方が、点灯表示され、操作者は設定された停止方法を目視により確認することができる。なお、このような停止方法設定は、画像形成装置１１０，２１０の操作用パネル１６１，２６１で設定し、画像形成制御装置４１０に転送するようにしてもよい。
【００５８】
図９に戻る。ステップＳ２０４においては、上述のようにして設定された当該ジョブについての停止方法が確認され、即停止の場合はステップ２０５に進み、ステップＳ１０７（図５参照）の処理と同様の停止処理が行われる。この結果、図６（ａ）に示す状態で連続紙１０１の搬送が停止される。一方、ステップＳ２０４においてスタックまで出力して停止が確認された場合は、ステップＳ１１３（図５参照）の処理と同様の停止処理が行われる。この結果、図７（ａ）に示す状態で連続紙１０１の搬送が停止される。
【００５９】
次に、ステップＳ２００において動作指示がされた場合を説明する。動作指示には、「イジェクト」と「スタックまで出力」がある。これらの動作指示は、操作者が操作部４１１，操作用パネル１６１，２６１を操作することによって入力する場合と、装置が自動的に指示する場合とがある。
【００６０】
次に、「イジェクト」の処理について図１１を参照して説明する。「イジェクト」は、画像形成装置１１０，１２０が停止しているときに、連続紙１０１にプリントをすることなく排出する処理である。まず、ステップＳ６００において上流機プリントバッファ１８０，下流機プリントバッファ２８０をクリアする。すなわち、画像形成装置１１０，１２０が停止された後は、保留しているプリントデータをクリアし、その後のプリントを行わない。そして、ステップＳ６０１に進み、転写処理が終了している最終データのページ（転写が終了している最終ページ：以下転写終了最終ページという）の位置が確認される。この転写終了最終ページが既にスタックポイントまで搬送されている場合は、連続紙１０１は既に排出が済んでいるので、それ以上の搬送動作を行うことなく処理は終了する（ステップＳ６０２）。
【００６１】
一方、転写終了最終ページがスタックポイントまで搬送されていない場合は、転写終了最終ページの位置に応じてステップＳ６０３またはＳ６０４の処理が行われる。転写終了最終ページが下流機である画像形成装置２１０の転写位置からスタックポイントの間にあった場合は、ステップＳ６０３に進み、画像形成装置１１０，２１０が、下流機の転写位置からスタックポイントまでの距離に対応する搬送量だけ連続紙１０１を搬送して停止する。
【００６２】
ステップＳ６０１の判定において、転写終了最終ページが上流機である画像形成装置１１０の転写位置から下流機である画像形成装置２１０の転写位置の間に位置すると確認されたときは、ステップＳ６０４に進み、画像形成装置１１０，２１０が、上流機の転写位置からスタックポイントまでの距離に対応する搬送量だけ連続紙１０１を搬送して停止する。
ステップＳ６０３，６０４の搬送処理においては、転写だけ行われて未だ定着が行われていなかったページについては、定着部１４０または定着部２４０による定着処理が行われる。
【００６３】
次に、「スタックまで出力」の処理について図１２を参照して説明する。「スタックまで出力」の処理においては、「イジェクト」の処理のように、上流機プリントバッファ１８０，下流機プリントバッファ２８０をクリアすることはせず、各バッファ内のプリントデータを全て用いてプリント処理を行う。まず、ステップＳ７００に進み、転写終了最終ページの位置が確認される。この転写終了最終ページが既にスタックポイントまで搬送されている場合は、連続紙１０１は既に排出が済んでいるので、それ以上のプリント動作および搬送動作を行うことなく処理は終了する（ステップＳ７０１）。
【００６４】
ステップＳ７００の位置確認は、ステップＳ６０１と同様の場合分けで行われ、それぞれの場合に応じてステップＳ７０２，Ｓ７０３に進む。連続紙１０１の搬送処理については、ステップＳ７０２、Ｓ７０３は、それぞれステップＳ６０３、Ｓ６０４と同様の処理となる。但し、ステップＳ７０２、Ｓ７０３においては、流機プリントバッファ１８０，下流機プリントバッファ２８０にあるプリントデータを用いて連続紙１０１の表面および裏面へのプリント完了し、定着処理も完了させる。
【００６５】
上述した実施形態は、本発明の一例である。本発明は、例えば、以下の変形例を適用可能である。なお、上述した実施形態及び以下の変形例は、必要に応じて、これらを組み合わせて適用してもよい。
【００６６】
（１）変形例１
上述した実施形態においては、即停止モードのときは、上流機である画像形成装置１１０が上流機プリントバッファ１８０内の最後のページのプリントデータを用いて転写を終えた時点で、直ちに連続紙の搬送を停止させたが、最後のページの転写をした後、予め定めた一定距離だけ連続紙１０１を搬送するようにしてもよい。この一定距離は、画像形成装置１１０，１２０についてデフォルトで設定してもよく、また、ジョブ毎に設定してもよい。
【００６７】
この場合の処理の一例を図１３に示す。図１３の処理は、ステップＳ３０４とＳ３０５が追加されている他は、図９と同様の処理である。なお、図１３においては、説明の簡略化のために、各ジョブについて「即停止」が設定されている場合を想定して、停止方法の確認とそれに伴う分岐処理を省略している。
図１３に示すステップＳ３０４では、最終の転写が終了してから、連続紙１０１を停止させるまでの走行距離が読み込まれる。この走行距離が装置のデフォルトで設定されている場合は、当該値が格納されている記憶エリアから読み出し、ジョブ毎に設定されている場合は当該ジョブの属性データを記憶している部分から読み出す。そして、ステップＳ３０５に進み、上流機である画像形成装置１１０が当該ジョブの最終のプリントデータを転写した後、ステップＳ３０４で読み込んだ走行距離だけ連続紙１０１を搬送したところで、画像形成装置１１０，２１０の用紙搬送が停止する。
【００６８】
走行距離の設定は任意であり、種々の状況に応じて距離を設定すればよい。例えば、転写終了後の走行距離を転写位置にあるページが定着完了するまでの距離に設定すれば、即停止の処理を行った場合でも、画像形成装置１１０，２１０において定着処理がなされない状態のページは無くなる。
走行距離を設定した分だけ、プリントがなされないページが生じるが、その量は、使用状況に応じて適宜決めればよい。なお、走行距離は、一般にはページの長さ（搬送方向の長さ）の整数倍にすることが考えられるが、ページの長さに満たない端数がでてもよい。
【００６９】
（２）変形例２
上述した実施形態においては、装置全体のモードを事前に定めたり、あるいはジョブ毎にモードを設定したりした。これに代えて（あるいは、これに加えて）、プリンタの状態に応じて動作モードを自動的に変更するように構成してもよい。
【００７０】
この場合の動作例を図１４に示す。図１４に示す処理は、ステップＳ４０７〜Ｓ４０８の処理以外は、図５の処理と同様である。すなわち、ステップＳ４０１、４０２、４０３、４０４、４０５、Ｓ４０６は各々ステップＳ１０１，Ｓ１０２，Ｓ１０４、Ｓ１０５、Ｓ１０６、Ｓ１０７と同様であり、ステップＳ４１０〜Ｓ４１５は各々ステップＳ１０８〜Ｓ１１３と同様である。
次に、ステップＳ４０７の処理について説明する。この処理は、図１４に示すステップＳ４０５において次のジョブのプリントが可能と判断されたときに、そのジョブが終了するまでに予め定めた例外処理に該当する状況になるか否かを判断する処理である。例えば、次のジョブの実行途中に用紙残量がなくなり、そのジョブを完了することができない場合などを例外処理とする。
【００７１】
ステップＳ４０５の詳細を図１５に示す。図１５に示すステップＳ５００においては、次のジョブに使用する用紙の長さを計算する。次のジョブにおいて使用される用紙の長さ（すなわち、画像形成装置１１０の収納部１５４に収納されている用紙の長さ）とジョブのページ数を乗算して、次のジョブで使用する用紙の累積長を計算する。次に、ステップＳ５０１に移り、画像形成装置１１０の収納部１５４内の用紙残量を確認する。画像形成制御装置４１０が画像形成装置１１０に対して問い合わせを行い、その応答信号によって確認を行う。残量の検出は、例えば、収納部１５４に設けたセンサによって行ってもよく、また、連続紙１０１を収納部１５４にセットしたときの初期枚数を事前登録し、プリントが行われる度に、ページ数を減算することによって検出してもよい。
【００７２】
そして、ステップＳ５０２に移り、次のジョブで使用する用紙の累積長と用紙残量を比較し、用紙残量の方が少ない場合は例外処理ありと判定する。
ステップＳ５０２の判定において用紙残量の方が多いと判定された場合は、ステップＳ５０３に進み、予め設定されたリストからチェックすべき項目を選択する処理が行われる。この選択処理は、リストの各項目について自動的に順次選択する処理である。なお、操作者が操作部４１１を用いて選択項目を入力してもよい。この入力は操作用パネル１６１，２６１で行い、その情報を画像形成制御装置４１０に転送してもよい。
ここで、図１６に予め設定されたチェック項目のリストを示す。このリストは、エアーフィルタ、現像剤、定着ランプなどの消耗品や部品に対して、交換を行う規定値（ライフ規定値）と現在までの使用実績が各々時間を単位にして記憶されている。ステップＳ５０４において、選択すべき項目がない場合は、チェック終了として、例外処理なしと判定して図１４に示すステップＳ４０２に戻る。
【００７３】
一方、ステップＳ５０４において選択項目ありと判定された場合は、ステップＳ５０５に進み、対象品の現在の使用実績値に次のジョブを実行完了するとした場合の使用時間を加え、その値がライフ規定値に対して大きいかどうかが判定される。使用実績については、画像形成制御装置４１０が積算管理をして把握してもよく、また、画像形成装置１１０，２１０に問い合わせを行い、その応答信号から把握してもよい。このステップＳ５０５の判定が「Ｙｅｓ」であれば、例外処理ありと判定される。
【００７４】
一方、ステップＳ５０５において「Ｎｏ」と判定された場合は、ステップＳ５０３に戻り、以後は上記と同様にして各項目のチェックを繰り返す。
そして、ステップＳ４０７において例外処理ありと判定された場合は、ステップＳ４０８に進み、上流機である画像形成装置１１０が現在のジョブのプリントデータを全て転写し終えたタイミングで、連続紙１０１の搬送を停止する。すなわち、図６（ａ）に示す状態で停止する。次に、ステップＳ４０９に進み例外処理を行う。この処理は画像形成装置１１０、２１０の動作を停止した状態で、作業者が対応する部品、消耗品の交換や補充を行う処理である。この処理が終了した後は、ステップＳ４０２に戻る。
【００７５】
（３）変形例３
プリント処理、搬送処理の状況が操作者に分かるように表示する制御を加えてもよい。図１７は、このような制御を行う場合の操作部４１１の表示パネルの表示例である。なお、操作用パネル１６１，２６１について同様の表示を行うようにしてもよい。
図１７においてテーブルが表示され、各アイティムには、ジョブＩＤ、ジョブ名、キュー、フォーマット、ステータスが表示されている。このテーブルにおけるステータス表示は図１８に示す処理によって行われる。ジョブがスタートするとステップＳ９００からステップＳ９０１に進み、ジョブのステータスが確認される。ジョブステータスについては、画像形成制御装置４１０が画像形成装置１１０，２１０に問い合わせを行い、その応答信号から把握する。そして、確認したステータスに従って、図１７に示す各アイティムのステータス表示を行う（ステップＳ９０２〜Ｓ９０５）。
このようにステータスが表示されることで、操作者にプリント処理のプロセスが示され、作業における各種の注意が促される。
【００７６】
また、図１７に示すようなステータス制御に代えて、例えば、「プリント中」、「上流印字中」、「下流印字中」、「プリント完了」などの点灯ボタンを設け、ステータス確認の結果に応じて、これらのボタンの点灯、消灯制御を行うようにしてもよい。
【００７７】
（４）変形例４
上述した実施形態および変形例においては、２つの画像形成装置が上流と下流においてそれぞれ連携してプリントを行う重連構成を例にとったが、一つの画像形成装置単体であっても本発明を適用することができる。
すなわち、最終のプリントデータに基づいて転写を行った直後に用紙を停止する処理を行うか、転写した用紙が定着処理を経て排出（あるいは所定の格納部に格納）されるまで用紙搬送処理を行うかを切り替えるようにすればよい。この場合においても、転写直後に用紙の搬送を停止すると、用紙に対してプリントされない部分を無くすことができる。また、転写直後において、用紙に対して排出に至らない程度の距離（事前に設定された距離）を搬送するように構成してもよく、この場合においても用紙に対してプリントされない部分を少なくすることができる。
また、上述した実施形態では、連続紙に対する両面プリントの例を説明したが、連続紙の一方の面に対し、画像形成装置１１０及び画像形成装置２１０が画像を形成する構成であってもよい。この場合、例えば、画像形成装置１１０がＹ（イエロー）Ｍ（マゼンタ）Ｃ（シアン）Ｋ（ブラック）の色の画像を形成し、画像形成装置２１０がＹ、Ｍ、Ｃ、Ｋ以外の色（例えばメタリック色とか透明色）の画像を形成する例が考えられる。この例の場合、同一ページにおける、Ｙ、Ｍ、Ｃ、Ｋ以外の色の画像を表す第１の画像データと、Ｙ、Ｍ、Ｃ、Ｋ以外の色の画像を表す第２の画像データとが対応している。
【００７８】
また、両面プリント、片面プリントに関わりなく、画像データと連続紙（記録媒体）に画像形成される画像との関係は以下のような態様がある。まず、第１の画像データは複数ページの各々の画像を示す画像データである場合もあり、また、単一ページの画像データである場合もある。したがって、第１の画像データに基づいて記録媒体（連続用紙）に画像形成される画像（第１の画像）は、複数ページの各画像であることも、単一のページの画像データに基づいて連続プリントされる同一内容の画像であることも、あるいは、複数ページの画像データに基づいて複数セット（例えば、１０ページの画像データを３セットプリントするような場合）を構成する各ページの画像であることもある。
これに対応して、第２の画像データも複数ページの各々の画像を示す場合もあり、単一の画像を示す場合もある。
【００７９】
実施形態においては、複数ページの各画像を示す第１の画像データを用い、各ページに対応する裏面の画像（例えば、第１の画像データが奇数ページの画像を示すデータなら、第２の画像データは偶数ページの画像を示すデータ）を示したが、第１の画像データも第２の画像データも単一のページの画像を示すデータであってもよい。この場合にあっても、第１の画像データに対応する画像が形成された記録媒体には、第２の画像データに応じて当該画像に対応する第２の画像が形成されることになる。さらに、第１の画像データが複数のページの内容を示す画像データであり、第２の画像データが単一のページの画像データであってもよい。この場合には、記録媒体の表面には各ページの内容が画像形成され、その裏面には第２の画像データに応じたページによらない同じ画像が形成されることになる。
【００８０】
すなわち、プリントの態様に応じて、記録媒体に形成された第１の画像と第２の画像の対応関係が設定される。理解の整理のために、幾つかの具体例を示す。例えば、第１〜第ｎの表ページを示す画像データ（第１の画像データ）に基づく画像が形成された連続用紙の表面に対応して、第１〜第ｎの裏ページを示す画像データ（第２の画像データ）に基づく画像が形成されることもあり、また、第１〜第ｎの表ページを示す画像データ（第１の画像データ）に基づく画像が形成された連続用紙の表面に対応して、同じ画像データ（第２の画像データ）に基づく同じ画像が形成される場合もある。さらに、第１〜第ｎのページが数セット繰り返してプリントするように設定される場合もあるが、その場合にあって上記と同様である。また、上記具体例とは反対に同一の表面画像に対して第１〜第ｎの裏面のページの画像が対応付けられることもある。また、全ての表面が同一で、全ての裏面が同一の画像という対応関係を設定してもよい。
【００８１】
（５）変形例５
上述した実施形態、変形例は電子写真方式の画像形成装置を例にとったが、画像形成の方式はこれに限らず、どのような方式でも構わない。例えば、インクジェット方式による画像形成を行ってもよい。この場合には、転写と定着が同時になされるので、転写後であって未定着という状態はなくなる。
【００８２】
（６）変形例６
上述した実施形態、変形例はミシン目で切り離せる連続紙を例にとったが、連続紙の種類はこれに限らず、どのような種類でも構わない。例えば、ミシン目のないロール紙を用いてもよい。この場合には、用紙カットを行う後処理装置によって１ページ毎に分離される。他にも、例えばＯＨＰフィルムのように画像形成される媒体であれは、どのような媒体でも構わない。
【符号の説明】
【００８３】
１００…連続紙画像形成システム、１０１…連続紙、１１０、２１０…画像形成装置、３１０…中間バッファ装置、３２０…反転機構装置、１２０、２２０…機構部、１３０、２３０…現像部、１３２、２３２…感光ドラム、１３６、２３６…ＬＥＤ露光装置、１３８、２３８…現像器、１４０、２４０…定着部、１５０、２５０…搬送部、１５４…収納部、２５６…格納部、１６０、２６０…制御部、１６１、２６１…操作用パネル、１６２、２６２…ＣＰＵ、１６３、２６３…ＲＯＭ、１６４、２６４…ＲＡＭ、１６５、２６５…ＮＶＲＡＭ、１６６、２６６…ＨＤＤ、１６７、２６７…機構部インターフェース、１６８、２６８…操作用パネルインターフェース、１６９、２６９…画像形成制御装置インターフェース、１８０…上流機プリントバッファ、２８０…下流機プリントバッファ、４１０…画像形成制御装置、４１１…操作部、４１２…ＣＰＵ、４１３…ＲＯＭ、４１４…ＲＡＭ、４１５…ＮＶＲＡＭ、４１６…ＨＤＤ、４１７…制御部インターフェース、４１８…操作部インターフェース、４１９…外部装置インターフェース、５１０…外部装置
【図１】
2010262082.tif 000003
【図２】
2010262082.tif 000004
【図３】
2010262082.tif 000005
【図４】
2010262082.tif 000006
【図５】
2010262082.tif 000007
【図６】
2010262082.tif 000008
【図７】
2010262082.tif 000009
【図８】
2010262082.tif 000010
【図９】
2010262082.tif 000011
【図１０】
2010262082.tif 000012
【図１１】
2010262082.tif 000013
【図１２】
2010262082.tif 000014
【図１３】
2010262082.tif 000015
【図１４】
2010262082.tif 000016
【図１５】
2010262082.tif 000017
【図１６】
2010262082.tif 000018
【図１７】
2010262082.tif 000019
【図１８】
2010262082.tif 000020